(57)【要約】      （修正有） 【課題】長期にわたりベッドに寝たきりの患者、被介護者に対して介護者や家族が行なう介護を容易ならしめ、かつ患者、被介護者の沐浴、排便、排尿などを直接行なうことができ、使用上の利便性を具えた介護用ベッドを提供する。【解決手段】寝台頭部１１と、寝台後端部１２と、及び対向する両側に設ける支持フレーム１３とによってなる寝台フレーム１と、該寝台頭部と該寝台後端部との間に設けられ、緊張、弛緩、垂下状態となる機能を有する防水性メッシュマット２と、対向する両側に設けた該支持フレームに、それぞれ回動自在に軸支され、且つ開閉の動作を行なうとともに、表面に空気を注入する複数の球体を独立して設置する可動寝台板４とを含んで構成される。【選択図】図２
0003226255.tif 000002
【実用新案登録請求の範囲】
【請求項１】
寝台頭部と、寝台後端部と、及び対向する両側に設ける支持フレームとによってなる寝台フレームと、
該寝台頭部と該寝台後端部との間に設けられ、緊張、弛緩、垂下状態となる機能を有する防水性メッシュマットと、
対向する両側に設けた該支持フレームに、それぞれ回動自在に軸支され、且つ開閉の動作を行なうとともに、表面に空気を注入する複数の球体を独立して設置する可動寝台板とを含んでなることを特徴とする介護用ベッド。
【請求項２】
前記介護用ベッドが、対向する両側に設ける該支持フレームに均一の間隔で掛け渡して設ける複数の支持桿を更に含むことを特徴とする請求項１に記載の介護用ベッド。
【請求項３】
前記寝台後端部の外部表面に制御パネルを設けるとともに、前記寝台後端部内部に制御機能を有する伝動機構を設けることを特徴とする請求項１に記載の介護用ベッド。
【請求項４】
前記伝動機構が、上連動桿と下連動桿と減速モータとを含み、該上連動桿が該防水性メッシュマットを巻き取り、該上連動桿と該下連動桿とが両端にそれぞれ歯車とチェーンを具え、該上連動桿の両側に設けた歯車が電磁弁固定部材を具え、 
該下連動桿が従動歯車と、螺刻領域と、スライドブロック組立体と、及び該歯車の回転を制限する固定ピンとをさらに具え、
該スライドブロック組立体が該螺刻領域に歯合するラックを具えて該下連動桿上で位置をシフトし、
該減速モータが選択的に連動させる第１ギアホイールと第２ギアホイールとを具え、該第１ギアホイールが該従動歯車に歯合して該下連動桿の回転を制御するとともに、該チェーンの牽引によって該上連動桿を同期して回転させること、を特徴とする請求項３に記載の介護用ベッド。
【請求項５】
前記伝動機構が、第２ギアホイールと、さらに左右対称に設ける第１プーリーセットと第２プーリーセットとをさらに含み、
該第１プーリー―セットが、同軸で設置する第１歯車と第１プーリーと、第１内プーリー７と第1外プーリーと第１固定プーリーとを具え、
該第２プーリーセットが、同軸で設置する第２歯車と第２プーリーと第２内プーリーと第２外プーリーと第２固定プーリーとを具え、
該第１プーリーセットと該第２プーリーセットとにおける全てのプーリーにそれぞれワイヤ材を掛け渡し、かつ該ワイヤ材の一端が複数の該支持桿の内の一方の側に位置する支持桿を貫通して固定されて位置決めされるとともに、該ワイヤ材の他端が複数の該支持桿のそれぞれにすべての支持桿を貫通して複数の該支持桿の内の一方の側に位置する支持桿上に位置決めされることを特徴とする請求項３に記載の介護用ベッド。
【請求項６】
前記伝動機構が、さらに第１スプロケット装置と第２スプロケット装置と連動歯車とを含み、
該第１スプロケット装置が第１連動歯車と第１可動寝台板歯車と、第１チェーンとを含み、かつ該第２スプロケット装置が第２連動歯車と第２可動寝台板歯車と第２チェーンとを含んでなり、
該連動歯車と該第２連動歯車とを同軸で設け、該第２連動歯車が該第１連動歯車に歯合して伝導し、
該第１可動寝台板歯車と該第２可動寝台板歯車とに該寝台フレーム１の対向する両側の支持フレームがそれぞれ貫通して固定されることを特徴とする請求項３に記載の介護用ベッド。
【請求項７】
前記介護用ベッドが、さらに気体供給手段を含んでなり、該気体供給手段がガスボンベか、もしくは空気圧縮手段であることを特徴とする請求項１に記載の介護用ベッド。
【請求項８】
前記介護用ベッドが、該寝台フレーム下方に設置する空気注入式バスタブを含んでなり、該空気注入式バスタブが、空気注入方式によって底部のマット体と該マット体を囲繞して立設される周壁とが沐浴空間を形成することを特徴とする請求項１に記載の介護用ベッド。
【請求項９】
前記空気注入式バスタブを可動式便器に換えて該寝台フレーム下方に設置することを特徴とする請求項８に記載の介護用ベッド。
【請求項１０】
前記可動寝台板が、単一の可動寝台板であって、かつ該寝台フレームに対向して設ける該支持フレームの内の任意の一方に設けて、一方の側に回転して開閉する形式の可動寝台板であることを特徴とする請求項１に記載の介護用ベッド。
【考案の詳細な説明】
【技術分野】
【０００１】
この考案は、介護用ベッドに関し、詳しくは、長期にわたってベッドに寝たきりになることに起因する、もしくは長時間座ることで発生する身体局部の血行不全に起因する褥瘡の発生を減少させ、また、身体の洗浄、もしくは排便、排尿を容易ならしめる介護用ベッドに関する。
【背景技術】
【０００２】
長期にわたりベッドに寝たきりになる患者、もしくは高齢者は、その一切の生活のための動作について、家族、又は介護者の手助けを必要とする。また、寝たきりによって発生する褥瘡を防ぐためには常に身体を寝返りさせ、かつリハビリを行なわなければならない。さらに被介護者が体をきれいにしようとした場合、もしくは排便、排尿をする場合などは、介護をする家族が大変な思いをして被介護者の身体を移動させなければならない。但し、患者の身体を移動させることは困難なものであるのみならず、移動させる過程において転倒したり、他の物体にぶつかったりして怪我をするという極めて大きなリスクが潜在的に存在する。
【０００３】
目下、介護サービスの分野において、すでに沐浴補助器具の提供、もしくは介護者を派遣して在宅沐浴の手助けをするサービスが提供されるようになった。然しながら、被介護者の身体を移動させる際に怪我をさせるかもしれないというリスクは、依然として存在する。さらには、被介護者の自尊心に対する配慮についても十分に達成できてはおらず、人道的という点については、改善の余地があり完璧とはいえない。
【０００４】
そこで、上述する状況に鑑み、介護者、もしくは家族が、長期にわたってベッドに寝たきりの患者、被介護者を随時ベッドから離し、または患者、被介護者を吊り上げてベッドから離なす時間を設定し、床ずれを防ぐための操作を容易に行うことができるようにするために、または直接ベッドの構造部に対して操作を行なうことで患者、被介護者の身体の洗浄、もしくは排便、排尿を行なうために便利で、人道的な配慮を具えた介護用のベッドを開発することが望まれている。
【考案の概要】
【考案が解決しようとする課題】
【０００５】
この考案は、長期にわたりベッドに寝たきりになる患者、被介護者に対して介護者や家族が行なう介護を容易ならしめ、かつ患者、被介護者の沐浴、排便、排尿などを直接行なうことができ、使用上の利便性を具えた介護用ベッドを提供することを課題とする。
【課題を解決するための手段】
【０００６】
そこで、この考案による介護用ベッドは、寝台頭部と寝台後端部と及び対向する両側に設ける支持フレームとによってなる寝台フレームと、該寝台頭部と該寝台後端部との間に設けられ、緊張、弛緩、垂下状態となる機能を有する防水性メッシュマットと、対向する両側に設けた該支持フレームに、それぞれ回動自在に軸支され、且つ開閉の動作を行なう一組の可動寝台板と、空気注入方式によって底部のマット体と該マット体を囲繞して立設される周壁とが沐浴空間を形成する
空気注入式バスタブと、を含んでなる
【０００７】
。
前記介護用ベッドは、対向する両側に設ける該支持フレームに均一の間隔で掛け渡して設ける複数の支持桿を更に含む。
【０００８】
前記寝台後端部の外部表面に制御パネルを設けるとともに、前記寝台後端部内部に制御機能を有する伝動機構を設ける。
【０００９】
前記伝動機構が、上連動桿と下連動桿と減速モータとを含み、該上連動桿が該防水性メッシュマットを巻き取り、該上連動桿と該下連動桿とが両端にそれぞれ歯車とチェーンを具え、該上連動桿の両側に設けた歯車が電磁弁固定部材を具える。また、該下連動桿が従動歯車と、螺刻領域と、スライドブロック組立体と、及び該歯車の回転を制限する固定ピンとをさらに具える。該スライドブロック組立体は該螺刻領域に歯合するラックを具えて該下連動桿上で位置をシフトし、該減速モータが選択的に連動させる第１ギアホイールを具え、該第１ギアホイールが該従動歯車に歯合して該下連動桿の回転を制御するとともに、該チェーンの牽引によって該上連動桿を同期して回転させる。
【００１０】
前記伝動機構が、減速モータに間接的に連動する第２ギアホイールと、及び左右対称に設ける第１プーリーセットと第２プーリーセットとをさらに含む。また、該第１プーリー―セットが、同軸で設置する第１歯車と第１プーリーと、第１内プーリーと、第1外プーリーと、第１固定プーリーとを具え、かつ該第２プーリーセットが、同軸で設置する第２歯車と第２プーリーと、第２内プーリーと、第２外プーリーと、第２固定プーリーとを具える。また、該第１プーリーセットと該第２プーリーセットとにおける全てのプーリーにそれぞれワイヤ材を掛け渡し、かつ該ワイヤ材の一端が複数の該支持桿の内の一方の側に位置する支持桿を貫通して固定されて位置決めされるとともに、該ワイヤ材の他端が複数の該支持桿のそれぞれにすべての支持桿を貫通して複数の該支持桿の内の一方の側に位置する支持桿上に位置決めされる。
【００１１】
前記伝動機構は、さらに第１スプロケット装置と第２スプロケット装置と連動歯車とを含み、かつ該第１スプロケット装置が第１連動歯車と第１可動寝台板歯車と、第１チェーンとを含み、かつ該第２スプロケット装置が第２連動歯車と第２可動寝台板歯車と第２チェーンとを含んでなり、該連動歯車と該第２連動歯車とを同軸で設け、該第２連動歯車が該第１連動歯車に歯合して伝導する。また、該第１可動寝台板歯車と該第２可動寝台板歯車とに該寝台フレーム１の対向する両側の支持フレームがそれぞれ貫通して固定される。
【００１２】
前記介護用ベッドは、さらに気体供給手段を含んでなり、該気体供給手段がガスボンベか、もしくは空気圧縮手段から任意に選択される。
【００１３】
また、この考案による介護用ベッドは、前記空気注入式バスタブを可動式便器に換えて該寝台フレーム下方に設置することができる。
【００１４】
前記可動寝台板が、単一の可動寝台板であって、かつ該寝台フレームに対向して設ける該支持フレームの内の任意の一方に設けて、一方の側に回転して開閉する形式の可動寝台板であってもよい。
【図面の簡単な説明】
【００１５】
【図１】この考案による介護用ベッドの外観を示した斜視図である。
【図２】図１に開示する介護用ベッドを分解した状態を示した説明図である。
【図３】この考案における防水性メッシュマットの開放、収納の動作を示した説明図である。
【図４】この考案における可動寝台板と支持桿との構造を示した説明図である。
【図５】この考案における支持桿の集合と開放の動作を示した説明図である。
【図６】この考案における可動寝台板の開閉の動作を示した説明図である。
【図７】この考案の便器を設けた実施の形態を示した説明図である。
【図８】他の実施の形態による介護用ベッドを示した斜視図である。
【考案を実施するための形態】
【実施例】
【００１６】
図１、２に開示するように、この考案による介護用ベッドは、寝台頭部１１と寝台後端部１２と及び対向する両側に設けられる支持フレーム１３とによってなる寝台フレーム１と、寝台頭部１１と寝台後端部１２との間にベルトコンベア形式で設けられ、かつ制御によって緊張、弛緩、垂下状態となる防水性メッシュマット２と、寝台フレーム１の長手方向の対向する両側に設けた支持フレーム１３に、寝台板の荷重を分散させるべく均等の間隔で分布させて掛け渡して設ける複数の支持桿３（実施例においては４本設ける形態を例として挙げる）と、寝台フレーム１の長手方向の対向する両側に設けた支持フレーム１３に、それぞれ表面に空気を注入する複数の球体を独立して設置する可動寝台板４と、及び空気注入式バスタブ５と、を含んでなる。空気注入式バスタブ５は、空気注入方式によって底部のマット体５１とマット体５１を囲繞して立設される周壁５２とが沐浴空間を形成し、患者、被介護者がベッドを離れることなく全面的な身体の洗浄をできるようにする
【００１７】
また、この考案による介護用ベッドは、寝台後端部１２の外部表面に設ける制御パネル６と、及び寝台後端部１２に内設する伝動機構７（斜視図においては開示しない）と、をさらに具える。制御パネル６で制御する機能には、防水性メッシュマット２を制御する機能と、可動寝台板４の開閉を制御する機能と、及び空気注入式バスタブ５の必要とする空気と水の注入、排出の制御と、を含む。
【００１８】
図３に、防水性メッシュマット２を制御する機能について開示する。伝動機構７の具体的な構造は、防水性メッシュマット２をリール方式で巻き取る上連動桿７１と、及び下連動桿７２とを具え、上連動桿７１と下連動桿７２とは両端にそれぞれ中心に玉軸受を設けた歯車７１１、７２１を具え、さらにチェーン７３を設ける。また、上連動桿７１の両側に設けた歯車７１１は電磁弁固定部材７１２を具え、制御を受けて空転するか、又は上連動桿７１と連動する。
【００１９】
下連動桿７２は、従動歯車７２２と、螺刻領域７２３と、スライドブロック組立体７２４とをさらに具える。スライドブロック組立体７２４は、螺刻領域７２３に歯合するラック７２５を具え、下連動桿７２上で位置をシフトすることができる。さらに、歯車７２１の回転を制限する固定ピン７２６を具える。また、第１ギアホイール７４１を連動させる減速モータ７４を具える。第１ギアホイール７４１は従動歯車７２２に歯合して下連動桿７２の回転を制御する。同時に、チェーン７３の牽引の作用によって上連動桿７１に同期して回転する。
【００２０】
上述する構成によれば、防水性メッシュマット２を制御して緊張させる場合、減速モータ７４が起動すると防水性メッシュマット２が時計回りの方向に回転し、第１ギアホイール７４１を連動させ、かつ従動歯車７２２とチェーン７３とを回転させ、さらに上連動桿７１を連動させて回転させ、防水メッシュマット２を緊張させる効果が得られる。最後に、固定ピン７２６を歯車７２１に挿入して固定し、位置決めし、さらに歯車７１１上の電磁弁固定部材７１２で上連動桿７１を固定し、歯車７１１が空転する状態とする。
【００２１】
逆に、防水性メッシュマット２を制御して弛緩状態とする場合、上述する一連の動作を逆の順序で行なう。即ち、歯車７１１上の固定ボルト７１２が外れ、上連動桿７１が開放され、さらに歯車７１１とサイド連動すると、減速モータ７４が時計回りの逆方向に回転し、防水性メッシュパッド２が連動して弛緩する。この場合、同期して下連動桿７２が回転し、かつスライドブロック組立体７２４上の固定ピン７２６が歯車７２１から離れ（図面の右側方向）、防水性メッシュパッド２を弛緩させる効果が得られる。また、さらに引き続き回転すると、防水性メッシュパッド２が垂下する効果が得られる。
【００２２】
図４、５を合わせて参照し、可動寝台板４を開放、または閉鎖する機能について説明する。可動寝台板４の下方には複数の支持桿３が設けられて支持の作用を提供する。よって、可動寝台板４を開閉する前に、開閉の動作が妨げられないように支持桿３の収納、または設置の動作を行なわなければならない。
【００２３】
伝動機構７は上述する部材以外に、減速モータ７４に間接的に連動し、かつ制御される第２ギアホイール７４２と、及び左右対称に設ける第１プーリーセット７５と第２プーリーセット７６とをさらに含む。第１プーリー―セット７５は、同軸で設置する第１歯車７５１と、第１プーリー７５２と、第１内プーリー７５３と、第1外プーリー７５４と、及び第１固定プーリー７５５と、を含んでなる。同様に、第２プーリーセット７６も、同軸で設置する第２歯車７６１と、第２プーリー７６２と、第２内プーリー７６３と、第２外プーリー７６４と、及び第２固定プーリー７６５と、を含んでなる。
【００２４】
第１プーリーセット７５と第２プーリーセット７６とにおける全てのプーリーは、ワイヤ材７５６、７６６を掛け渡す。ワイヤ材７５６の一端は、第１プーリー７５２から第1外プーリー７５４を経て第１固定プーリー７５５を取り巻き複数の支持桿３の内の一方の側に位置する支持桿３を貫通して固定する。ワイヤ材７５６の他端は第１プーリー７５２から第1内プーリー７５３を経て複数の支持桿３のそれぞれにすべての支持桿３を貫通して固定し、循環する連動作用を形成する。同様に、他のワイヤ材７６６も同じ方式で設置する。係る設置方式によって、減速モータ７４がスライドブロック組立体７２４を連動させて移動させ（図面においては左方向に向かう）、ラック７２５が第２ギアホイール７４２に至るまで移動すると、第１歯車７５１が回転して第１プーリー７５２が連動する。さらに第２歯車７６１が連動して歯合する第１プーリーセット７５に伝動するとともに、第１プーリーセット７５が歯合する第２プーリーセット７６に連続して伝導し、係る作用によって複数の支持桿３の展開と集合を同期して制御する作用を達成する。
【００２５】
支持桿３を集合させる動作について、減速モータ７４に連動して下連動桿７２がスライドブロック組立体７２４を駆動し移動させると（図面においては右方向に向かう）、ラック７２５に連動して第２ギアホイール７４２が時計回りの方向に回転し、歯合する第１ギアホイール７５１と第1プーリー７５２とが時計回りとは逆方向に回転し、第２歯車７６１と第２プーリー７６２と第２外プーリー７６４とが時計回りの方向に回転する。この場合第１プーリーセット７５と第２プーリーセット７６とが同期して内側に位置するワイヤ材７５６、７６６を引っ張り、複数の支持桿３の内の一方の側に位置する支持桿３が他の支持桿３の方向に寄って集合し、さらに全ての支持桿３が接して併置された状態となって集合の動作が完成する。逆の場合は、集合した支持桿３を展開する動作となる。即ち、減速モータ７４に連動して第２ギアホイール７４２が時計回りの逆方向に回転すると、第１プーリーセット７５と第２プーリーセット７６とが同期して外側に位置するワイヤ材７５６、７６６を引っ張り、接して併置された状態の支持桿３の全てが、一方の側に位置する支持桿３から外方向に引っ張られ、かつ全ての支持桿３が順次引っ張り出されて展開の動作が完成する。
【００２６】
図６に開示するように、複数の支持桿３の集合、展開の動作が完成すると、さらに一歩進んで可動寝台板４の開閉の動作を制御する。即ち、伝動機構７は、上述する部材以外に、さらに第１スプロケット装置７７と、第２スプロケット装置７８と、及び連動歯車７９とを含む。第１スプロケット装置７７は、第１連動歯車７７１と、第１可動寝台板歯車７７２と、及び第１チェーン７７３とを含み、第２スプロケット装置７８は、第２連動歯車７８１と、第２可動寝台板歯車７８２と、及び第２チェーン７８３とを含んでなる。連動歯車７９と第２連動歯車７８１とは同軸で設け、第２連動歯車７８１は、さらに第１連動歯車７７１に歯合して伝導する。また、第１可動寝台板歯車７７２と、第２可動寝台板歯車７８２とに、寝台フレーム１の対向する両側の支持フレーム１３がそれぞれ貫通して固定され、係る構成によって連動の作用を達成し、かつ可動寝台板４の開放、閉鎖の動作を制御する。
【００２７】
開放の動作については、減速モータ７４によって第１ギアホイール７４１が時計回りの方向に回転すると、歯合する従動歯車７２２が同期して回転し、下連動桿７２を連動させ、かつスライドブロック組立体７２４を牽引して図面の左方向に移動させる。さらに、スライドブロック組立体７２４のラック７２５が連動歯車７９に接触して歯合すると、第２連動歯車７８１を連動させ、同時に第１連動歯車７７１を連動させる。次いで、第１チェーン７７３と第２チェーン７８３とによって第１可動寝台板歯車７７２と第２可動寝台板歯車７８２とがそれぞれ引っ張られ、２枚の可動寝台板４が、それぞれ下方に向かって回転し、９０度に至ると回転が停止して位置決めされる。
【００２８】
逆に、閉鎖する動作については、減速モータ７４によって第１ギアホイール７４１が時計回りの逆方向に回転すると、下連動桿７２上のスライドブロック組立体７２４を駆動して元の位置に復帰させ、さらにラック７２５が最終的に連動歯車７９から離れる。同時に第２連動歯車７８１が第１連動歯車７７１を連動させ、第１チェーン７７３と第２チェーン７８３とが第１可動寝台板歯車７７２と第２可動寝台板歯車７８２とをそれぞれ引っ張ることから、２枚の可動寝台板４が、それぞれ上方に向かって回転し、９０度に至ると回転が停止して位置決めされる。
【００２９】
空気注入式バスタブ５は、図１に開示するように空気注入方式によって、底部のマット体５１とマット体５１を囲繞して立設される周壁５２とによって形成される沐浴空間を具えるのみならず、さらに空気注入・排気口５３と、水注入・排水口５４とを具える。また、使用する上での利便性を得るために、寝台フレーム１は、さらに気体供給手段８を含んでなり、この考案を実施する場合には、例えばガスボンベ、もしくは空気圧縮手段などを採用して気体供給の目的を達成する。気体供給手段８は、必要に応じて寝台頭部１１か、もしくは寝台後端部１２の下方を選択的に選んで設置し、空機注入式バスタブ５の空気注入に供する。即ち、気体供給手段８によって迅速な空気の注入を達成し、使用上の利便性を得る。
【００３０】
上述する介護用ベッドによれば、平常の使用時において患者、被介護者は寝台フレーム１上に横たわる。患者、被介護者の身体を洗浄する場合は、防水性メッシュマット２を制御して完全に弛緩した状態とする。次いで、患者、被介護者の身体を支え、かつ支持桿３を制御して寝台後端部１２に向かって寄せて集合させる。さらに、２枚の可動寝台板４を制御して中央線から下方に向かって９０度回転させて開放状態とする。この場合、寝台フレーム１下方の空気注入式バスタブ５は気体が注入されていない状態にあるため、気体注入手段８から迅速に気体を注入して沐浴の空間を形成する。さらに、適宜な温度の洗浄用水を必要とする量だけ注入する。次いで、防水性メッシュマット２制御してゆっくり弛緩させ、垂下した状態とし、最終的に患者、被介護者の全身を空気注入式バスタブ５内に入れて腰を下ろした状態とすることで、家族、介護者による患者、被介護者への全身の洗浄作業の進行が容易になる。
【００３１】
身体の洗浄が完了した後は、先ず防水性メッシュマット２を制御して緊張した状態とし、患者、被介護者の身体が空気注入式バスタブ５から離れてから、注入式バスタブ５内の洗浄に使った水を放出し、かつ注入した空気を抜いて収納の処理を行ない、本来の位置に戻して位置決めする。この場合、同時に介護者、又は家族は、患者、被介護者の身体を拭くことができる。注入式バスタブ５内の空気が完全に抜けてから、再度２枚の可動寝台板４を制御して、上述とは逆方向に反転させて元の位置に復帰させ閉鎖する。同時に、複数の支持桿３を可動寝台板４下方に均一に分布する元の位置に復帰させて十分な支持の作用を提供する。この場合、必要に応じて防水性メッシュマット２と可動寝台板４との間に綿布マット、もしくはシーツなどを敷いてもよく、これによって横臥する際の心地よさが得られるとともに、剰余の水分の吸収効果を高める効果が得られ、患者、被介護者の背中の乾燥を達成することができる。最後に、防水性メッシュマット２に適宜な緊張を回復させることで、患者、被介護者の重量を可動寝台板４上に完全に載せることができる。
【００３２】
図７に開示するように、この考案による介護用ベッドは、患者、被介護者に入浴による身体洗浄の利便性を提供するのみならず、寝台フレーム１の下方に設置する上述の空気注入式バスタブ５を可動式便器９に交換して設置する実施の形態によって、排便、排尿を容易ならしめることができる。即ち、患者、被介護者がベッドを離れることなく、入浴、排便、排尿、もしくは身体の洗浄を行なうことができる。
【００３３】
空気注入式バスタブ５、可動式便器９は、使用後に洗浄した後、空気を抜いた状態で寝台フレーム１の下方に置くことができるため、その他の収納のための空間を占めない。使用時には迅速に空気を注入して再度使用することができる。
【００３４】
最後に、図８に開示するように、この考案における可動寝台板４は、２枚一組として設ける実施の形態以外に、単一の可動寝台板４とし、かつ寝台フレーム１に対向して設ける支持フレーム１３の内の任意の一方に設けて、一方の側に回転して開閉する可動寝台板４の実施の形態としてもよい。
【００３５】
この考案における寝台フレーム１は、綿布マット、もしくはシーツなどを随時敷き、また交換することができ、かつ敷いたり、交換したりする動作が容易で便利である。防水性メッシュマット２は、完全に緊張した状態において患者、被介護者の身体を支持することができ、可動寝台板４に接触させて宙吊りの状態にさせることはない。この場合、防水性メッシュマット２と可動寝台板４との間に綿布マット、もしくはシーツなどを敷き、また交換することができ、かつ敷いたり、交換したりする動作が容易である。
【００３６】
以上の説明をまとめると明らかなように、本願の考案人は長期にわたりベッドに横臥する患者、被介護者を重視し、一般の寝台では得ることのできない快適さと、人体工学に適った横臥の効果が得られるように考慮し、また寝返りや身体の活動が困難な状況下で全面的な身体の洗浄が得られないという従来の寝台の欠点を克服した。この考案を実施して得られる介護用寝台は、上述する欠点を解決して患者、被介護者を満足させられるのみならず、介護者や家族の負担を大幅に軽減することができる。最も重要な点は、全ての動作が寝台の上で行われることであって、このため患者、被介護者を移動させたり、ベッドから離れさせたりする必要がなく、同時に操作も極めて容易で利便性が得られる。
【００３７】
以上はこの考案の好ましい実施の形態に係る説明にすぎない。よって、本願の明細書、実用新案登録請求の範囲の記載を応用した形態の変化、修正などであって、かつ均等の効果有するものは、いずれもこの考案の実用新案登録請求の範囲に属するものとする。
【符号の説明】
【００３８】
１      寝台フレーム
１１    寝台頭部
１２    寝台後端部
１３    支持フレーム
２      防水性メッシュマット
３      支持桿
４      可動寝台板
５      空気注入式バスタブ
５１    マット体
５２    周壁
５３    空気注入・排気口
５４    水注入・排水口
６      制御パネル
７      伝動機構
７１    上連動桿
７１１  歯車
７１２  電磁弁固定部材
７２    下連動桿
７２１  歯車
７２２  従動歯車
７２３  螺刻領域
７２４  スライドブロック組立体
７２５  ラック
７２６  固定ピン
７３    チェーン
７４    減速モータ
７４１  第１ギアホイール
７４２  第２ギアホイール
７５    第１プーリーセット
７５１  第１歯車
７５２  第１プーリー
７５３  第１内プーリー
７５４  第１外プーリー
７５５  第１固定プーリー
７５６  ワイヤ材
７６    第２プーリーセット
７６１  第２歯車
７６２  第２プーリー
７６３  第２内プーリー
７６４  第２外プーリー
７６５  第２固定プーリー
７６６  ワイヤ材
７７    第１スプロケット装置
７７１  第１連動歯車
７７２  第１可動寝台板歯車
７７３  第１チェーン
７８    第２スプロケット装置
７８１  第２連動歯車
７８２  可動寝台板歯車
７８３  第２チェーン
７９    連動歯車
８      気体供給手段
９      可動式便器
【図１】
0003226255.tif 000003
【図２】
0003226255.tif 000004
【図３】
0003226255.tif 000005
【図４】
0003226255.tif 000006
【図５】
0003226255.tif 000007
【図６】
0003226255.tif 000008
【図７】
0003226255.tif 000009
【図８】
0003226255.tif 000010